(57)【要約】    【課題】電子コミック書籍のダイジェストを作成する。    【解決手段】ページ画像取出し部１１０は、記憶装置１６０から電子書籍コンテンツを読みだして各ページを構成するページ画像を順次に取出し、文字単位対応領域検出部１２０に供給する。文字単位対応領域検出部１２０は、記憶装置１６０からページ画像を取得して、ページごとに、文字単位対応領域を切り出して検出する。計数部１３０は、各ページについて文字単位対応領域の検出回数を計数する。ページ選択部１４０は、各ページの文字単位対応領域の検出回数を計数部１３０から受け取り、これに基づいて所定数のページを選択する。アニメーションファイル生成部１５０は、ページ選択部１４０によって選択されたページからアニメーションファイルを生成する。【選択図】  図１
2019053362.tif 000002
【特許請求の範囲】
【請求項１】
電子コミック書籍の所定のページの各々について当該ページ中に含まれる文字単位対応領域を検出する文字単位対応領域検出部と、
上記文字単位対応領域検出部によって検出された上記文字単位対応領域を計数する計数部と、
上記計数部による計数値が小さいページほど選択する際の優先度を高くして所定数のページを選択するページ選択部と、
上記ページ選択部によって選択された上記所定数のページを含むアニメーション表示のためのアニメーションファイルを生成するアニメーションファイル生成部とを有することを特徴とする電子コミック書籍ダイジェスト生成装置。
【請求項２】
上記文字単位対応領域検出部は文字認識部を含む請求項１記載の電子コミック書籍ダイジェスト生成装置。
【請求項３】
上記ページ選択部は、表紙ページを優先的に選択する請求項１または２記載の電子コミック書籍ダイジェスト生成装置。
【請求項４】
上記アニメーションファイル生成部は、上記ページ選択部により選択されたページからページ間遷移を表す遷移ページを合成し、上記ページ選択部により選択されたページと上記遷移ページとを含むアニメーション表示を生成する請求項１〜３のいずれかに記載の電子コミック書籍ダイジェスト生成装置。
【請求項５】
ダイジェストに適さないページを判別して上記所定のページから排除する請求項１〜４のいずれかに記載の電子コミック書籍ダイジェスト生成装置。
【請求項６】
上記ダイジェストに適さないページは、ページ内の単一色が占める面積により決定される５記載の電子コミック書籍ダイジェスト生成装置。
【請求項７】
上記選択された所定数のページの各々の表示時間属性を各々に含まれる文字数に基づいて決定する請求項１〜６のいずれかに記載の電子コミック書籍ダイジェスト生成装置。
【請求項８】
上記選択された所定数のページの各々の表示時間属性を読者が各々を表示した時間に基づいて決定する請求項１〜６のいずれかに記載の電子コミック書籍ダイジェスト生成装置。
【請求項９】
上記選択された所定数のページの各々の表示時間属性を読者が各々を付したしおりの合計数に基づいて決定する請求項１〜６のいずれかに記載の電子コミック書籍ダイジェスト生成装置。
【請求項１０】
電子コミック書籍の所定のページの各々について当該ページ中に含まれるコマ対応領域を検出するコマ対応領域検出部と、
上記コマ対応領域検出部によって検出された上記コマ対応領域を計数する計数部と、
上記計数部による計数値が小さいページほど選択する際の優先度を高くして所定数のページを選択するページ選択部と、
上記ページ選択部によって選択された上記所定数のページを含むアニメーション表示のためのアニメーションファイルを生成するアニメーションファイル生成部とを有することを特徴とする電子コミック書籍ダイジェスト生成装置。
【請求項１１】
コンピュータで実行される電子コミック書籍ダイジェスト生成方法において、
文字単位対応領域検出部が、電子コミック書籍の所定のページの各々について当該ページ中に含まれる文字単位対応領域を検出するステップと、
計数部が、上記文字単位対応領域検出部によって検出された上記文字単位対応領域を計数するステップと、
ページ選択部が、上記計数部による計数値が小さいページほど選択する際の優先度を高くして所定数のページを選択するステップと、
アニメーションファイル生成部が、上記ページ選択部によって選択された上記所定数のページを含むアニメーション表示のためのアニメーションファイルを生成するステップとを有することを特徴とする電子コミック書籍ダイジェスト生成装置。
【請求項１２】
コンピュータを、
電子コミック書籍の所定のページの各々について当該ページ中に含まれる文字単位対応領域を検出する文字単位対応領域検出部と、
上記文字単位対応領域検出部によって検出された上記文字単位対応領域を計数する計数部と、
上記計数部による計数値が小さいページほど選択する際の優先度を高くして所定数のページを選択するページ選択部と、
上記ページ選択部によって選択された上記所定数のページを含むアニメーション表示のためのアニメーションファイルを生成するアニメーションファイル生成部として実現させるために使用される、電子コミック書籍ダイジェスト生成用コンピュータプログラム。
【発明の詳細な説明】
【技術分野】
【０００１】
この発明は、電子コミック書籍のダイジェストを生成する技術に関する。
【背景技術】
【０００２】
コミック本（漫画本）の電子書籍が広く流通している。読者は、購読するコミック本を選択する際に、そのダイジェストアニメーションを利用することが多い。ダイジェストアニメーションは、コミック本の主たる複数のページを予め選定して、アニメーション表示するものである。この際、どのページをアニメーション用に利用するかにより、ダイジェストアニメーションの良し悪しが左右されるので、アニメーション製作者が実際に電子書籍を閲覧して選定するようになっている。このような選定作業は煩雑であり、アニメーションに使用するページを自動的に選択できれば大変便利である。
【０００３】
なお、特許文献１は、動画から選択した各場面の静止画を、１ページを構成する複数のコマの各々に配分して動画のダイジェスト表示を行うことを開示している。
【０００４】
上述の従来技術やその問題点は、この発明の背景の一部を説明するためにのみ説明している。この発明は上述の従来技術や問題点に限定されるものではない点に留意されたい。
【先行技術文献】
【特許文献】
【０００５】
【特許文献１】特開２００９−０６５４６２号公報
【発明の概要】
【発明が解決しようとする課題】
【０００６】
この発明は、以上の事情を考慮してなされたものであり、コミック本の電子書籍のダイジェストアニメーションを簡易に生成する技術を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明の一側面によれば、上述の目的を達成するために、電子コミック書籍ダイジェスト生成装置に：電子コミック書籍の所定のページの各々について当該ページ中に含まれる文字単位対応領域を検出する文字単位対応領域検出部と；上記文字単位対応領域検出部によって検出された上記文字単位対応領域を計数する計数部と；上記計数部による計数値が小さいページほど選択する際の優先度を高くして所定数のページを選択するページ選択部と；上記ページ選択部によって選択された上記所定数のページを含むアニメーション表示のためのアニメーションファイルを生成するアニメーションファイル生成部とを設けるようにしている。
【０００９】
文字単位対応領域は、吹き出しや背景に含まれる文字単位（漢字、仮名、アルファベット、記号等）を個別に囲い込む領域である。句読点等の記号を文字単位から除外してもよい。アニメーション表示は、ページの順番に応じてページを表示して良いが、これに限定されない。
【００１０】
この構成では、ダイジェスト用のアニメーション表示に用いるページをページに含まれる文字の数に基づいて簡易に決定してアニメーションファイルを生成できる。
【００１１】
電子書籍コミックは種々の電子出版フォーマットで作成されていて良く、例えば、ＥＰＵＢであるが、これに限定されない。アニメーションファイルも種々のフォーマットで作成されて良く、典型的にはアニメーションＧＩＦであるけれども、これに限定されない。
【００１２】
この構成において、上記文字単位対応領域検出部は文字認識部を含んで良い。文字認識により、文字単位対応領域の検出を確実に行うことができる。ただし、文字単位対応領域を切り出すだけでも良い。
【００１３】
また、この構成において、上記ページ選択部は、表紙ページを優先的に選択して良い。
【００１４】
また、この構成において、上記アニメーションファイル生成部は、上記ページ選択部により選択されたページからページ間遷移を表す遷移ページを合成し、上記ページ選択部により選択されたページと上記遷移ページとを含むアニメーション表示を生成して良い。遷移ページは、先行ページと後続ページとを並べてページウインドウ内を例えば半ページ分だけスライドさせたものであって良く、また、代替的には、先行ページを例えば半ページ分覆うように後続ページを配置させたもので良く、スライド、または覆いかぶさる方向は、本の綴じ方向に依存させて良い。例えば、右綴じ（右ページから左ページに遷移）の場合、左から右にスライドさせて良い。
【００１５】
また、この構成において、ダイジェストに適さないページを判別して上記所定のページから排除して良い。例えば、上記ダイジェストに適さないページは、ページ内の単一色が占める面積により決定されて良い。
【００１６】
また、この構成において、上記選択された所定数のページの各々の表示時間属性を各々に含まれる文字数に基づいて決定して良い。
【００１７】
また、この構成において、上記選択された所定数のページの各々の表示時間属性を読者が各々を表示した時間に基づいて決定する
【００１８】
また、この構成において、上記選択された所定数のページの各々の表示時間属性を読者が各々を付したしおりの合計数に基づいて決定する
【００１９】
また、この発明の他の側面によれば、上記の目的を達成するために、電子コミック書籍ダイジェスト生成装置に：電子コミック書籍の所定のページの各々について当該ページ中に含まれるコマ対応領域を検出するコマ対応領域検出部と；上記コマ対応領域検出部によって検出された上記コマ対応領域を計数する計数部と；上記計数部による計数値が小さいページほど選択する際の優先度を高くして所定数のページを選択するページ選択部と；上記ページ選択部によって選択された上記所定数のページを含むアニメーション表示のためのアニメーションファイルを生成するアニメーションファイル生成部とを設けている。
【００２０】
また、この構成において、コマ対応領域は、典型的には四角形等の多角形であり、画像の二値化処理、直線検出、交点検出、交点計数等で検出されて良いけれども、種々の手法で検出が可能である。
【００２１】
この構成では、ダイジェスト用のアニメーション表示に用いるページをページに含まれるコマの数に基づいて簡易に決定してアニメーションファイルを生成できる。
【００２２】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２３】
この発明の上述の側面および他の側面は特許請求の範囲に記載され以下実施例を用いて詳述される。
【図面の簡単な説明】
【００２４】
【図１】この発明の実施例１の電子コミック書籍ダイジェスト生成装置の構成例を示すブロック図である。
【図２】図１の電子コミック書籍ダイジェスト生成装置の文字単位対応領域検出部の構成例を示すブロック図である。
【図３】実施例１を実施するシステム構成例を示す図である。
【図４】実施例１の処理フロー例を示すフローチャートである。
【図５】実施例１で使用する電子書籍のフォーマット例を説明する図である。
【図６】実施例１で使用するページの例の一覧を示す図である。
【図７】実施例１の動作例を説明する図である。
【図８】実施例１で生成されるアニメーションファイルのフォーマット例を示す図である。
【図９】実施例１のアニメーションファイルに使用される表紙画像およびページ遷移画像を説明する図である。
【図１０】ページ遷移画像を説明する図である。
【図１１】ページ遷移画像の種類を変更する例を説明する図である。
【図１２】表紙画像および章の初めの画像の取出しを説明する図である。
【図１３】この発明の実施例２の電子コミック書籍ダイジェスト生成装置の構成例を示すブロック図である。
【図１４】実施例２の動作例を説明する図である。
【図１５】この発明の実施例３の電子コミック書籍ダイジェスト生成装置の構成例を示すブロック図である。
【図１６】実施例３の動作例を説明する図である。
【図１７】この発明の実施例４の電子コミック書籍ダイジェスト生成装置の構成例を示すブロック図である。
【図１８】実施例４の動作例を説明する図である。
【図１９】この発明の実施例５の電子コミック書籍ダイジェスト生成装置の構成例を示すブロック図である。
【図２０】実施例５の電子コミック書籍ダイジェスト生成装置のコマ検出部の構成例を説明する図である。
【図２１】実施例５の動作例を説明する図である。
【図２２】この発明の実施例６の電子コミック書籍ダイジェスト生成装置の構成例を示すブロック図である。
【図２３】実施例６の動作例を説明する図である。
【図２４】実施例６の他の動作例を説明する図である。
【図２５】この発明の実施例７の電子コミック書籍ダイジェスト生成装置の構成例を示すブロック図である。
【図２６】実施例７の動作例を説明する図である。
【図２７】この発明の実施例８の電子コミック書籍ダイジェスト生成装置の構成例を示すブロック図である。
【図２８】実施例８の動作例を説明する図である。
【図２９】この発明の実施例９の電子コミック書籍ダイジェスト生成装置の構成例を示すブロック図である。
【図３０】実施例９の動作例を説明する図である。
【図３１】この発明の実施例１０の電子コミック書籍ダイジェスト生成装置の構成例を示すブロック図である。
【図３２】実施例９の動作例を説明する図である。
【発明を実施するための形態】
【００２５】
以下、この発明の実施例について説明する。
［実施例１］
図１はこの発明の実施例１の電子コミック書籍ダイジェスト生成装置１００を示しており、この図において、電子コミック書籍ダイジェスト生成装置１００は、ページ画像取出し部１１０、文字単位対応領域検出部１２０、計数部１３０、ページ選択部１４０、アニメーションファイル生成部１５０、および記憶装置１６０を含んで構成されている。
【００２６】
図１の電子コミック書籍ダイジェスト生成装置１００は、図３に示すようなコンピュータシステム２００にアプリケーション３００やツールをインストールして実現されている。コンピュータシステム２００は、ＣＰＵ２１０、主メモリ２２０をバス２３０に接続して構成され、このコンピュータシステム２００にはインターフェース２３０を介して外部記憶装置２４０および種々の入出力装置２５０が接続されている。
【００２７】
記憶装置１６０は、ダイジェストの作成対象の電子書籍および生成されたダイジェストを構成するアニメーションファイルを記憶するものである。電子書籍は例えば図５に示すＥＰＵＢ（国際電子出版フォーラムＩＤＰＦが策定したオープンフォーマットの電子書籍ファイルフォーマット規格）の電子書籍であるが、これに限定されない。電子書籍のダイジェストのアニメーションファイルは例えばＧＩＦ（Ｇｒａｐｈｉｃ  Ｉｎｔｅｒｃｈａｎｇｅ  Ｆｏｒｍａｔ）アニメーションであり、そのフォーマット例は図８に示すようなものであるけれども、これに限定されない。図８ではイメージブロック（「Ｉｍａｇｅ」）が複数個連結され、これはアニメーションを構成する個別の画像の圧縮画像であるが、これに限定されない。
【００２８】
ページ画像取出し部１１０は、記憶装置１６０から電子書籍コンテンツを読みだして各ページを構成するページ画像を順次に取出し、文字単位対応領域検出部１２０に供給する。文字単位対応領域検出部１２０は、漢字、仮名、アルファベット、句読点等の記号を含む個別の文字単位を囲む領域（文字単位対応領域）を切り出して検出するものである。文字単位対応領域検出部１２０は、例えば、図２に示すように、切出し部１２１、特徴量抽出部１２２、識別部１２３を含んで良く、図２の例では、切り出し部１２１が文字単位対応領域を切り出し、特徴量抽出部１２２が切り出した領域の特徴量を抽出し、識別部１２３が特徴量に基づいて文字認識を行う。文字認識が成功裏に終了したら、これを１つの文字単位対応領域として計数部１３０において計数する。計数部１３０は、各ページについて文字単位対応領域の検出回数を計数する。ページ選択部１４０は、各ページの文字単位対応領域の検出回数を計数部１３０から受け取り、これに基づいて所定数のページを選択する。この例では、文字単位対応領域の検出回数（文字数）が少ないほど優先して選択される。文字単位対応領域検出部１２０は、文字認識を行って文字単位対応領域の検証を行っているけれども、単に文字単位対応領域を切り出すだけでも良い。切り出しは画像のヒストグラム等から領域を決定して良い。
【００２９】
アニメーションファイル生成部１５０は、ページ選択部１４０によって選択されたページからアニメーションファイルを生成する。この例では、文字数（文字単位対応領域の数）が少ないページをＮ個（例えば４個）、さらに表紙ページを選択し、これらをページ順に並べ、さらに先行ページの画像および後続ページの画像から遷移画像を合成し、これらからアニメーションファイルを生成する。遷移画像は先行ページから後続ページへの移行を表示する画像であり、のちに詳述する。
【００３０】
つぎに実施例１の動作を説明する。図４は実施例１の動作を説明するものであり、まずページ画像取出し部１１０が記憶装置１６０からページ画像を１つ取り出す（ステップＳ０１）。つぎに文字単位対応領域検出部１２０がページ内の文字単位対応領域を検出し、さらに文字認識を行い、文字単位対応領域の検証を行い（ステップＳ０２）、計数部１３０が文字単位対応領域の個数を文字数表（記憶装置１６０、図７）に付記する（ステップＳ０３）。ステップＳ０１〜Ｓ０３をすべてのページについて繰り返す（Ｓ０４）。すべてのページについてステップＳ０１〜Ｓ０３の処理が終了したら、ページ選択部１４０が、文字数表を参照して、表紙ページおよび上位Ｎ個のページ画像を選択する（ステップＳ０５）。表紙ページが上位Ｎ個に含まれる場合には、上位Ｎ+１のページ画像も選択する。つぎにアニメーションファイル生成部１５０がページ遷移画像を合成し、ＧＩＦアニメーションファイルを生成する（ステップＳ０６、Ｓ０７）。ＧＩＦアニメーションファイルは記憶装置１６０に格納される。
【００３１】
図７は、実施例１の動作例を模式的に示す。この例では、図５のＥＰＵＢファイルを用い、図６に示す書籍構成ページ（表紙、ページ１〜ページ１１）を用いている。図７に示すように、吹き出し、または背景に含まれる文字を計数し、表紙ページに加えて、文字数が少ない順にページを選択する。さらに、表紙の画像のほかに、図９に示す、遷移画像（スライド、スライドイン）を、合成する。遷移ページは、先行ページと後続ページとを並べてページウインドウ内を例えば半ページ分だけスライドさせたものであって良く（図９のスライド）、また、代替的には、先行ページを例えば半ページ分覆うように後続ページを配置させたもので良い（図９のスライドイン）。いずれの場合でも、スライドの方向（覆いかぶさる方向）は、本の綴じ方向に依存させて良い。例えば、図１０に示すように、右綴じ（右ページから左ページに遷移）の場合、左から右にスライドさせて良い。左綴じ（左ページから右ページに遷移）の場合、逆に、右から左にスライドさせて良い。本の綴じ方向は、ＥＰＵＢファイルのｃｏｎｔｅｎｔ．ｏｐｆファイル内の綴じ方向の情報（「ｐａｇｅ−ｐｒｏｇｒｅｓｓｉｏｎ−ｄｉｒｅｃｔｉｏｎ」）を用いる。図１０の例は、綴じ方向が右綴じであり、ページが右から左に遷移し、遷移ページとして、後続の左ページが先行の右ページへとスライド（またはスライドイン）していく画像を用いる。
【００３２】
元のページの間の遷移ページの数は、２以上であれば、いくつでもよく、図１０の例では、２である。
【００３３】
図７の例では、ページ１１、表紙、ページ２、ページ１、およびページ１０が選択され、これをページ順に取出す。すなわち、表紙、ページ１、ページ２、ページ１０、およびページ１１を取出し、さらに、前後のページの間の遷移ページを前後のページから合成し、これら各ページを圧縮してイメージブロックを生成して、図８に示すＧＩＦアニメーションファイルを生成する。生成したＧＩＦアニメーションファイルは記憶装置１６０に記憶される。
【００３４】
遷移ページを生成するときに、合成タイプをスライド型またはスライドイン型に選択でき、例えば、図１１の右上段に示すように、前後のページが連続ページのときに、スライド（後続ページが先行ページを押し出していく）とし、図１１の右下段に示すように、不連続の時に、スライドイン（覆いかぶさる）として良いが、これに限定されない。アニメーションを構成するもともとのページについて前後のページの連続する回数を求め、この回数からスライドイン、また、スライドを決定しても良い。
【００３５】
なお、ページに含まれる文字数にかかわらず、章の初めのページ（表紙を含む）を選択するようにして良い。図１２は、この例を示し、この例では、ＥＰＵＢファイルの目次情報（「ｎａｖｉｇａｔｉｏｎ．ｈｔｍｌ」から章の初めのページのパスを取得して、これらの画像を取り出してＧＩＦアニメーションファイルを生成する。
【００３６】
［実施例２］
つぎにこの発明の実施例２について説明する。図１３は実施例２の構成を示す。図１３において図１と対応する箇所には対応する符号を付して説明を省略する。図１３において、単一色優勢ページ検出部１１５を設け、ページ選択部１４０が単一色が優勢なページを選択することを禁止するようにしている。書籍では、ページ合わせのために単一色のページを付加することが多い。このようなページは文字数が少ないので文字数を基準にしてダイジェストのページを選択する場合、ノイズとなってしまい、これを回避できる。
【００３７】
図１４は実施例２の動作例を示し、ページの画像をマス目に分割し、特定の色で塗りつぶされたマス数を計数して所定の閾値を越えた時に特定色が優勢かどうかを判別する。この例では、閾値は全体のマス数の１／２であるが。これに限定されない。
【００３８】
［実施例３］
つぎにこの発明の実施例２について説明する。図１５は実施例３の構成を示す。図１５において図１と対応する箇所には対応する符号を付して説明を省略する。図１５において、カラーページ判定部１１６を設け、カラーページを優先的に選択するようにしている。
【００３９】
図１６は、実施例３の動作例を示し、この例では色情報を用いてページの優先的な選択を行う。カラー画像はモノクロ画像に較べて訴求力があるからである。ダイジェストに採用するページ数が多い場合には、とくに採用して有益な特性である。
【００４０】
［実施例４］
つぎにこの発明の実施例４について説明する。図１７は実施例４の構成を示す。図１７において図１と対応する箇所には対応する符号を付して説明を省略する。図１７において、表示時間決定部１１７を設け、文字単位対応領域の数（文字数）に応じてアニメーションの各ページの表示時間を決定するようにしている。
【００４１】
図１８は、実施例４の動作例を示し、この例では、文字数が２００未満のページについては表示時間を２秒とし、２００文字以上のページについては表示時間を５秒としている。この例では、遷移ページについてとくに言及しないけれども、遷移ページが表示される時間を固定としてもよく、また、前後のページの文字数に応じて可変としても良い。
【００４２】
［実施例５］
つぎにこの発明の実施例５について説明する。図１９は実施例５の構成を示す。図１９において図１と対応する箇所には対応する符号を付して説明を省略する。図１９において、コマ数計数部１７０は、ページに含まれるコマ（ページ中に枠線で区画されその中に絵を描画する領域）の数を検出して計数するものである。ページ選択部１４０は、コマ数が少ないページほど優先順位を高くしてページを選択する。また、併せて、表紙、章の初めのページ、カラーページを優先させ（実施例１、実施例３）、また、単一色が優先するページの選択を禁止して良い（実施例２）。また、コマ数に応じて表示時間を決定して良い。
【００４３】
コマ数計数部１７０は、図２０に示すように、例えば、二値化処理部１７１、四角形検出部１７２、計数部１７３を含んで良く、二値化処理部１７１はページ画像を二値化し、必要であれば、細線化し、四角形検出部１７２は、直線検出および交点検出を行い、交点を４つ含むものを四角形（正方形、長方形に限定されず、台形でも良い）として検出するが、これに限定されない。三角形、五角形等の多角形も含んで検出するようにしても良い。
【００４４】
図２１は、実施例５の動作例を示し、この例では、コマ数が少ない順にページを選択している。この例でも、単一色が優勢な、ページ合わせ等のためにページ（ページ１１）については選択を禁止することが好ましい。
【００４５】
［実施例６］
つぎにこの発明の実施例６について説明する。図２２は実施例６の構成を示す。図２２において図１と対応する箇所には対応する符号を付して説明を省略する。図２２において、固定ページ選択部１４５が固定して範囲のページを選択するようにしている。固定範囲のページは表紙を含めた先頭のＮページであって良く、所定のページから連続して所定数のページであって良い。所定の範囲のページの画像はｃｏｎｔｅｎｔｓ．ｏｐのページＩＤからパスを取得して取り出すことができる。
【００４６】
図２３は表紙を含む先頭から所定範囲に含まれるページ（表紙、ページ１〜ページ４）を取り出す例を示し、図２４は所定のページから所定数のページ（ページ５〜ページ８）を取り出す例を示す。
【００４７】
［実施例７］
つぎにこの発明の実施例７について説明する。図２５は実施例７の構成を示す。図２５において図１と対応する箇所には対応する符号を付して説明を省略する。図２５において、指定ページ選択部１４６は書籍コンテンツにダイジェストに用いる画像を指定するメタデータを含ませ、書籍コンテンツ側でダイジェストを指定できるようにしたものである。
【００４８】
図２６は、実施例７の動作例を示し、この例では、書籍コンテンツのｃｏｎｔｅｎｔｓ．ｏｐｆファイル内に拡張データ（ｅｘｔ：ｄｉｇｅｓｔ＝"ｙｅｓ"）を埋め込む。この拡張データを含むページについてアニメーションを構成する画像であることが指定され、そのパスを取得してページ画像を取り出す。図２６の例では、表紙、ページ１、ページ３、およびページ６が取り出される。
【００４９】
［実施例８］
つぎにこの発明の実施例８について説明する。図２７は実施例８の構成を示す。図２７において図１と対応する箇所には対応する符号を付して説明を省略する。図２７において、電子コミック書籍ダイジェスト生成装置１００（コンピュータシステム２００）が通信ネットワークを介してユーザ情報管理サーバ４００にアクセス可能になっている。通信ネットワーク３００にはユーザ端末５００も接続されている。ユーザ端末５００は、書籍コンテンツを閲覧するものであり、ユーザ情報管理サーバ４００はユーザ端末５００のユーザの読書情報データベースを管理するようになっている。
【００５０】
電子コミック書籍ダイジェスト生成装置１００は、ユーザ情報管理サーバ４００から読書情報データベース４０１をアクセスし（これを適宜に記憶装置１６０に記憶して良い）、あるいはその表示時間決定部１１７が読者の平均表示時間を取得して表示時間を決定する。
【００５１】
図２８は、実施例８の動作例を示し、読書情報データベース４０１からページごとにユーザの１回あたりの平均表示時間を求め、この表示時間が５秒未満の場合には表示時間を２秒とし、これが５秒以上の場合には、表示時間を５秒とする。もちろん、種々の変更が可能である。
【００５２】
［実施例９］
つぎにこの発明の実施例９について説明する。図２９は実施例９の構成を示す。図２９において図１または図２７と対応する箇所には対応する符号を付して説明を省略する。図２９において、平均表示時間取得部１１８が、ユーザ情報管理サーバ４００から読者の平均表示時間を取得し、ページ選択部１４０が、平均表示時間が大きいページを優先的に選択する。
【００５３】
図３０は、実施例９の動作例を示し、読書情報データベース４０１からページごとにユーザの１回あたりの平均表示時間を求め、この平均表示時間が長いページを優先的に選択する。この例では、表紙、ページ１、ページ３、ページ４、およびページ６を選択する。もちろん、種々の変更が可能である。
【００５４】
［実施例１０］
つぎにこの発明の実施例１０について説明する。図３１は実施例１０の構成を示す。図３１において図１または図２７と対応する箇所には対応する符号を付して説明を省略する。図３１において、しおり数累積部１１９が、ユーザ情報管理サーバ４００から、ページごとにユーザのしおり追加数を累積し、しおり数が大きいページを優先的に選択する。
【００５５】
図３２は、実施例１０の動作例を示し、読書情報データベース４０１からユーザのしおり追加データを取得し、ページごとのしおり追加の累積値を求め、累積値が大きなページを選択する。この例では、表紙、ページ１、ページ３、ページ４、およびページ６を選択する。もちろん、種々の変更が可能である。
【００５６】
以上で実施例の説明を終了する。なお、この発明は、上述の実施例に限定されるものではなく、種々変更が可能である。
【符号の説明】
【００５７】
１００    電子コミック書籍ダイジェスト生成装置
１１０    ページ画像取出し部
１１５    単一色優勢ページ検出部
１１６    カラーページ判定部
１１７    表示時間決定部
１１８    平均表示時間取得部
１１９    しおり数累積部
１２０    文字単位対応領域検出部
１２１    切出し部
１２２    特徴量抽出部
１２３    識別部
１３０    計数部
１４０    ページ選択部
１４５    固定ページ選択部
１４６    指定ページ選択部
１５０    アニメーションファイル生成部
１６０    記憶装置
１７０    コマ数計数部
１７１    二値化処理部
１７２    四角形検出部
１７３    計数部
【図１】
2019053362.tif 000003
【図２】
2019053362.tif 000004
【図３】
2019053362.tif 000005
【図４】
2019053362.tif 000006
【図５】
2019053362.tif 000007
【図６】
2019053362.tif 000008
【図７】
2019053362.tif 000009
【図８】
2019053362.tif 000010
【図９】
2019053362.tif 000011
【図１０】
2019053362.tif 000012
【図１１】
2019053362.tif 000013
【図１２】
2019053362.tif 000014
【図１３】
2019053362.tif 000015
【図１４】
2019053362.tif 000016
【図１５】
2019053362.tif 000017
【図１６】
2019053362.tif 000018
【図１７】
2019053362.tif 000019
【図１８】
2019053362.tif 000020
【図１９】
2019053362.tif 000021
【図２０】
2019053362.tif 000022
【図２１】
2019053362.tif 000023
【図２２】
2019053362.tif 000024
【図２３】
2019053362.tif 000025
【図２４】
2019053362.tif 000026
【図２５】
2019053362.tif 000027
【図２６】
2019053362.tif 000028
【図２７】
2019053362.tif 000029
【図２８】
2019053362.tif 000030
【図２９】
2019053362.tif 000031
【図３０】
2019053362.tif 000032
【図３１】
2019053362.tif 000033
【図３２】
2019053362.tif 000034
【手続補正書】
【提出日】平成29年9月13日(2017.9.13)
【手続補正１】
【補正対象書類名】特許請求の範囲
【補正対象項目名】請求項１１
【補正方法】変更
【補正の内容】
【請求項１１】
コンピュータで実行される電子コミック書籍ダイジェスト生成方法において、
文字単位対応領域検出部が、電子コミック書籍の所定のページの各々について当該ページ中に含まれる文字単位対応領域を検出するステップと、
計数部が、上記文字単位対応領域検出部によって検出された上記文字単位対応領域を計数するステップと、
ページ選択部が、上記計数部による計数値が小さいページほど選択する際の優先度を高くして所定数のページを選択するステップと、
アニメーションファイル生成部が、上記ページ選択部によって選択された上記所定数のページを含むアニメーション表示のためのアニメーションファイルを生成するステップとを有することを特徴とする電子コミック書籍ダイジェスト生成方法。
【手続補正書】
【提出日】平成30年12月29日(2018.12.29)
【手続補正１】
【補正対象書類名】特許請求の範囲
【補正対象項目名】請求項８
【補正方法】変更
【補正の内容】
【請求項８】
上記選択された所定数のページの各々の表示時間属性を読者が上記所定数のページの各々を表示した時間に基づいて決定する請求項１〜６のいずれかに記載の電子コミック書籍ダイジェスト生成装置。